(57)【特許請求の範囲】
【請求項１】
施設内の空調を制御する電力管理装置であって、
前記施設へのデマンドレスポンス要請を受信する通信部と、
前記施設内の前記空調を制御する制御部とを備え、
前記制御部は、前記デマンドレスポンス要請を受信すると、前記空調の出力を抑制するか否かを判定する制御条件を、通常時の制御条件から変更し、
前記制御部は、前記デマンドレスポンス要請を受信すると、前記施設内の温度が、目標温度の範囲外であっても許容温度範囲内であれば、前記空調の出力を抑制可能とするように前記制御条件を変更し、
前記制御部は、前記施設内に設置された温度センサから取得した前記施設内の温度に基づいて、前記空調の出力を抑制するか否かを判定する制御条件を、通常時の制御条件から変更し、
前記制御部は、前記施設内の温度が、前記空調の暖房時において、前記許容温度範囲の下限値より小さい値であるが上昇中である場合は、前記空調の出力を抑制可能とするように前記制御条件を変更することを特徴とする電力管理装置。
【請求項２】
施設内の空調を制御する電力管理装置であって、
前記施設へのデマンドレスポンス要請を受信する通信部と、
前記施設内の前記空調を制御する制御部とを備え、
前記制御部は、前記デマンドレスポンス要請を受信すると、前記空調の出力を抑制するか否かを判定する制御条件を、通常時の制御条件から変更し、
前記制御部は、前記デマンドレスポンス要請を受信すると、前記施設内の温度が、目標温度の範囲外であっても許容温度範囲内であれば、前記空調の出力を抑制可能とするように前記制御条件を変更し、
前記制御部は、前記施設内に設置された温度センサから取得した前記施設内の温度に基づいて、前記空調の出力を抑制するか否かを判定する制御条件を、通常時の制御条件から変更し、
前記制御部は、前記施設内の温度が、前記空調の冷房時において、前記許容温度範囲の上限値より大きい値であるが下降中である場合は、前記空調の出力を抑制可能とするように前記制御条件を変更することを特徴とする電力管理装置。
【請求項３】
施設内の空調を制御する電力管理装置であって、
前記施設へのデマンドレスポンス要請を受信する通信部と、
前記施設内の前記空調を制御する制御部とを備え、
前記制御部は、前記デマンドレスポンス要請を受信すると、前記空調の出力を抑制するか否かを判定する制御条件を、通常時の制御条件から変更し、
前記制御部は、前記デマンドレスポンス要請を受信すると、前記施設内の温度が、目標温度の範囲外であっても許容温度範囲内であれば、前記空調の出力を抑制可能とするように前記制御条件を変更し、
前記制御部は、前記施設の外気温を取得し、前記空調の暖房時において、該外気温と前記許容温度範囲の下限値との差分が所定の範囲内である場合、又は、前記空調の冷房時において、該外気温と前記許容温度範囲の上限値との差分が所定の範囲内である場合は、前記空調の出力を抑制可能とするように前記制御条件を変更することを特徴とする電力管理装置。
【請求項４】
請求項１から３のいずれか１項に記載の電力管理装置において、前記制御部は、前記空調の室外機を停止させることによって、前記空調の出力を抑制することを特徴とする電力管理装置。
【請求項５】
請求項４に記載の電力管理装置において、前記制御部は、前記空調の出力を抑制する際、前記空調の風向きを制御することを特徴とする電力管理装置。
【請求項６】
請求項５に記載の電力管理装置において、前記制御部は、前記空調の近傍に設置された風向板の向きを制御することによって、前記空調の風向きを制御することを特徴とする電力管理装置。
【請求項７】
請求項５又は６に記載の電力管理装置において、前記制御部は、前記空調が冷房を抑制している場合、人のいるエリア及び冷ケースが設置されているエリアに風が当たらないように前記空調の風向きを制御することを特徴とする電力管理装置。
【請求項８】
施設内の空調を制御する電力管理装置であって、
前記施設へのデマンドレスポンス要請を受信する通信部と、
前記施設内の前記空調を制御する制御部とを備え、
前記制御部は、前記デマンドレスポンス要請を受信すると、前記空調の出力を抑制するか否かを判定する制御条件を、通常時の制御条件から変更し、
前記制御部は、前記空調の室外機を停止させることによって、前記空調の出力を抑制し、
前記制御部は、前記空調の出力を抑制する際、前記空調の風向きを制御し、
前記制御部は、前記空調が暖房を抑制している場合、人のいるエリアに風が当たらないように、かつ、冷ケースが設置されているエリアに風が当たるように、前記空調の風向きを制御することを特徴とする電力管理装置。
【請求項９】
請求項５から８のいずれか１項に記載の電力管理装置において、前記制御部は、前記空調の出力の抑制を開始してから所定の時間が経過した後に、前記空調の風向きの変更を実行することを特徴とする電力管理装置。
【請求項１０】
請求項５から９のいずれか１項に記載の電力管理装置において、前記制御部は、前記空調の出力の抑制を終了すると、前記空調の風向きを徐々に元の風向きに戻すことを特徴とする電力管理装置。
【請求項１１】
施設内の空調を制御する電力管理装置における電力管理方法であって、
前記施設へのデマンドレスポンス要請を受信するステップと、
前記デマンドレスポンス要請を受信すると、前記空調の出力を抑制するか否かを判定する制御条件を、通常時の制御条件から変更するステップと、
前記デマンドレスポンス要請を受信すると、前記施設内の温度が、目標温度の範囲外であっても許容温度範囲内であれば、前記空調の出力を抑制可能とするように前記制御条件を変更するステップと、
前記施設内に設置された温度センサから取得した前記施設内の温度に基づいて、前記空調の出力を抑制するか否かを判定する制御条件を、通常時の制御条件から変更するステップと、
前記施設内の温度が、前記空調の暖房時において、前記許容温度範囲の下限値より小さい値であるが上昇中である場合は、前記空調の出力を抑制可能とするように前記制御条件を変更するステップと、
変更した前記制御条件に基づいて、前記施設内の前記空調を制御するステップとを含む電力管理方法。
【請求項１２】
施設内の空調を制御する電力管理装置における電力管理方法であって、
前記施設へのデマンドレスポンス要請を受信するステップと、
前記デマンドレスポンス要請を受信すると、前記空調の出力を抑制するか否かを判定する制御条件を、通常時の制御条件から変更するステップと、
前記デマンドレスポンス要請を受信すると、前記施設内の温度が、目標温度の範囲外であっても許容温度範囲内であれば、前記空調の出力を抑制可能とするように前記制御条件を変更するステップと、
前記施設内に設置された温度センサから取得した前記施設内の温度に基づいて、前記空調の出力を抑制するか否かを判定する制御条件を、通常時の制御条件から変更するステップと、
前記施設内の温度が、前記空調の冷房時において、前記許容温度範囲の上限値より大きい値であるが下降中である場合は、前記空調の出力を抑制可能とするように前記制御条件を変更するステップと、
変更した前記制御条件に基づいて、前記施設内の前記空調を制御するステップとを含む電力管理方法。
【請求項１３】
施設内の空調を制御する電力管理装置における電力管理方法であって、
前記施設へのデマンドレスポンス要請を受信するステップと、
前記デマンドレスポンス要請を受信すると、前記空調の出力を抑制するか否かを判定する制御条件を、通常時の制御条件から変更するステップと、
前記デマンドレスポンス要請を受信すると、前記施設内の温度が、目標温度の範囲外であっても許容温度範囲内であれば、前記空調の出力を抑制可能とするように前記制御条件を変更するステップと、
前記施設の外気温を取得し、前記空調の暖房時において、該外気温と前記許容温度範囲の下限値との差分が所定の範囲内である場合、又は、前記空調の冷房時において、該外気温と前記許容温度範囲の上限値との差分が所定の範囲内である場合は、前記空調の出力を抑制可能とするように前記制御条件を変更するステップと、
変更した前記制御条件に基づいて、前記施設内の前記空調を制御するステップとを含む電力管理方法。
【請求項１４】
施設内の空調を制御する電力管理装置における電力管理方法であって、
前記施設へのデマンドレスポンス要請を受信するステップと、
前記デマンドレスポンス要請を受信すると、前記空調の出力を抑制するか否かを判定する制御条件を、通常時の制御条件から変更するステップと、
前記空調の室外機を停止させることによって、前記空調の出力を抑制するステップと、
前記空調の出力を抑制する際、前記空調の風向きを制御するステップと、
前記空調が暖房を抑制している場合、人のいるエリアに風が当たらないように、かつ、冷ケースが設置されているエリアに風が当たるように、前記空調の風向きを制御するステップと、
変更した前記制御条件に基づいて、前記施設内の前記空調を制御するステップとを含む電力管理方法。
【発明の詳細な説明】
【関連出願へのクロスリファレンス】
【０００１】
本出願は、日本国特許出願２０１６−０８５３８３号（２０１６年４月２１日出願）の優先権を主張するものであり、当該出願の開示全体を、ここに参照のために取り込む。
【技術分野】
【０００２】
本開示は、電力管理装置及び電力管理方法に関する。
【背景技術】
【０００３】
食品スーパーなどの店舗において、室温を監視して、適切な室温になるように空調を制御するシステムが知られている。【０００４】
店舗などの需要家施設は、電力事業者などから、電力需要のピークシフト等を目的として、デマンドレスポンス要請（以下、「ＤＲ要請」とも称する）を受信することがある。需要家施設は、ＤＲ要請を受信すると、消費電力を抑制するために、使用している機器の電源を切る、又は、動作を抑制するなどの対応をする必要がある。ＤＲ要請に応じて消費電力を抑制するシステムとして、ＤＲ要請を受信すると消費電力抑制のための運転スケジュールを計算して機器を制御するシステムが知られている（特許文献１）。
【先行技術文献】
【特許文献】
【０００５】
【特許文献１】特開２０１４−１１５８７８号公報
【発明の概要】
【０００６】
本開示の一実施形態に係る電力管理装置は、施設内の空調を制御する電力管理装置である。前記電力管理装置は、前記施設へのデマンドレスポンス要請を受信する通信部と、前記施設内の前記空調を制御する制御部とを備える。前記制御部は、前記デマンドレスポンス要請を受信すると、前記空調の出力を抑制するか否かを判定する制御条件を、通常時の制御条件から変更する。
【０００７】
また、本開示の一実施形態に係る電力管理方法は、施設内の空調を制御する電力管理装置における電力管理方法である。前記電力管理方法は、前記施設へのデマンドレスポンス要請を受信するステップと、前記デマンドレスポンス要請を受信すると、前記空調の出力を抑制するか否かを判定する制御条件を、通常時の制御条件から変更するステップと、変更した前記制御条件に基づいて、前記施設内の前記空調を制御するステップとを含む。
【図面の簡単な説明】
【０００８】
【図１】本開示の第１実施形態に係る電力管理システムの概略構成を示す図である。
【図２】温度範囲拡張又は条件変更により空調抑制可能となる場合の室温のグラフの一例である。
【図３】本開示の第１実施形態に係る電力管理装置の動作の一例を示すフローチャートである。
【図４】本開示の第２実施形態に係る電力管理システムの概略構成を示す図である。
【図５】風向板の制御の一例を示す図である。
【図６】施設内の平面図の一例を示す図である。
【図７】通常時の風向制御の一例を示す図である。
【図８】空調抑制時の風向制御の一例を示す図である。
【図９】本開示の第２実施形態に係る電力管理システムにおける風向制御の動作の一例を示すフローチャートである。
【発明を実施するための形態】
【０００９】
ＤＲ要請に対して、単に空調の出力を抑制して消費電力を抑制しようとすると、様々な問題が発生し得る。
【００１０】
例えば、夏期に冷房を抑制すると、食品スーパーのような冷ケースを扱う施設では、室温の上昇によって冷ケースの負荷が増え、冷ケースの消費電力が増加する場合がある。この場合、冷ケースの消費電力の増加により、結果的に施設全体の消費電力を低減できない場合がある。
【００１１】
また、空調の出力を抑制すると、夏期には室温が高くなり過ぎる場合があり、冬期には室温が低くなり過ぎる場合がある。そうすると、施設内の客に対する快適性を必要以上に損ねる場合がある。
【００１２】
一方、ＤＲ要請に応じて消費電力を抑制することよりも室温を所望の温度範囲内に保つことを優先すると、ＤＲ要請を受信した際に空調の出力を抑制することができず、結果的に、ＤＲ要請に応えられない場合がある。
【００１３】
本開示の電力管理装置及び電力管理方法によれば、ＤＲ要請を受信した際に、施設内の環境劣化を抑えつつ、空調の出力を抑制することができる。
【００１４】
以下、本開示の実施形態について、図面を参照して説明する。
【００１５】
［第１実施形態］
電力管理システム１は、図１に示すように、電力管理装置１００と、店舗（施設）２００と、室外温度センサ２２０と、電力事業者３００とを備える。電力管理装置１００、店舗２００及び電力事業者３００は、ネットワーク４００を介して相互に接続されている。なお、図１においては、１つの店舗２００のみを示しているが、複数の店舗２００がネットワーク４００に接続されていてもよい。
【００１６】
電力管理装置１００は、通信部１１０と、制御部１２０と、記憶部１３０とを備える。電力管理装置１００は、ネットワーク４００を介して、店舗２００内の空調２１０を制御する。なお、電力管理装置１００は、店舗２００付近又は店舗２００内に設置され、ネットワーク４００を介さずに、店舗２００内の空調２１０を直接制御する構成であってもよい。
【００１７】
通信部１１０は、ネットワーク４００を介して、店舗２００及び電力事業者３００と通信を行う。通信部１１０は、店舗２００から各種情報を受信する。また、通信部１１０は、店舗２００内の空調２１０などを制御するための指令を送信する。通信部１１０は、電力事業者３００から、ＤＲ要請を受信する。ＤＲ要請は、例えば、消費電力の削減量（削減電力量）又は期間などの情報を含む。
【００１８】
制御部１２０は、電力管理装置１００全体を制御及び管理するものであり、例えばプロセッサにより構成することができる。
【００１９】
制御部１２０は、店舗２００内の温度センサ２０１から、店舗２００内の温度の情報を取得する。また、制御部１２０は、室外温度センサ２２０から、店舗２００の外部の温度（以下、「外気温」とも称する）の情報を取得する。
【００２０】
制御部１２０は、店舗２００内の空調２１０を制御する。制御部１２０は、通常時においては、店舗２００内の温度が目標温度の範囲内に保たれるように、店舗２００内の空調２１０を制御する。また、制御部１２０は、電力事業者３００からＤＲ要請を受信すると、ＤＲ要請において電力を抑制することを要請された期間（以下、「ＤＲ期間」とも称する）の間、空調２１０の制御条件を変更して、店舗２００内の空調２１０を制御する。制御部１２０の機能の詳細については後述する。
【００２１】
記憶部１３０は、半導体メモリ又は磁気メモリ等で構成することができる。記憶部１３０は、制御部１２０が実行する処理に用いられるプログラム等を記憶する。また、記憶部１３０は、店舗２００内の空調２１０を制御する際の閾値など、各種情報を記憶している。
【００２２】
店舗（施設）２００は、例えば食品スーパーなどである。店舗２００は、温度センサ２０１と、冷ケース２０２と、照明２０３と、電力センサ２０４と、電力センサ２０５と、出力制御装置２０６と、ゲートウェイ２０７と、空調２１０とを備える。なお、食品スーパーは説明の一例として挙げたものであり、店舗２００は、温度センサ２０１及び空調２１０を備える施設であれば他の施設であってもよい。なお、電力センサ２０４及び電力センサ２０５は、電流センサを用いてもよいし、電圧センサを用いてもよい。
【００２３】
温度センサ２０１は、店舗２００内の室温を測定し、ゲートウェイ２０７を介して、測定した室温を電力管理装置１００に送信する。
【００２４】
冷ケース２０２は、食品等の商品を陳列するためのケースである。冷ケース２０２は、所定の温度に保たれるように自動的に制御されている。冷ケース２０２の消費電力は電力センサ２０４によって検出され、検出された消費電力値は、ゲートウェイ２０７を介して、電力管理装置１００に送信される。
【００２５】
照明２０３の消費電力は電力センサ２０５によって検出され、検出された消費電力値は、ゲートウェイ２０７を介して、電力管理装置１００に送信される。
【００２６】
出力制御装置２０６は、ゲートウェイ２０７を介して、電力管理装置１００からの空調制御指令を受信する。出力制御装置２０６は、受信した空調制御指令に応じて、空調２１０を制御する。出力制御装置２０６は、空調２１０の出力を抑制する場合、室外機２１１を停止させる。
【００２７】
ゲートウェイ２０７は、ネットワーク４００を介して、電力管理装置１００と通信を行う。ゲートウェイ２０７は、電力管理装置１００から各種指令を受信し、また、店舗２００の各種情報を電力管理装置１００に送信する。
【００２８】
空調２１０は、冷房機能及び暖房機能を有する。空調２１０は、冷房動作時は店舗２００内に冷風を吹き出し、暖房動作時は店舗２００内に温風を吹き出す。
【００２９】
空調２１０は、室外機２１１と、室内機２１２とを備える。室外機２１１と室内機２１２とは冷媒管で接続されている。室外機２１１は、冷媒の熱を外気へ逃がすための熱交換動作、及び、排気動作を行う。通常、空調２１０の消費電力の９５％程度が室外機２１１の動作によるものであるため、室外機２１１を停止させることにより、空調２１０の消費電力の大部分を抑制することができる。
【００３０】
室外温度センサ２２０は、店舗２００近辺の店舗２００外に設置され、店舗２００の外気温を測定する。室外温度センサ２２０は、測定した外気温の値を、ゲートウェイ２０７を介して、電力管理装置１００に送信する。
【００３１】
電力事業者３００は、電力需要が逼迫するとＤＲ要請を送信する。電力事業者３００は、具体的には、電力事業者３００のサーバなどである。
【００３２】
＜通常時の空調制御＞
ＤＲ期間における、電力管理装置１００による店舗２００内の空調制御の説明をする前に、通常時における、電力管理装置１００による店舗２００内の空調制御について説明する。
【００３３】
電力管理装置１００の制御部１２０は、通常時においては、店舗２００内の温度が目標温度範囲内に維持されるように、空調２１０を制御する。
【００３４】
記憶部１３０は、目標温度範囲の上限の値である第１の目標値と、目標温度範囲の下限の値である第２の目標値を記憶している。
【００３５】
制御部１２０は、空調２１０を冷房設定又は暖房設定で動作させている場合、
第２の目標値＜店舗２００内の温度＜第１の目標値
である場合は、空調２１０の出力を抑制し、消費電力を低減する。
【００３６】
制御部１２０は、空調２１０を冷房設定で動作させている場合、店舗２００内の温度が第１の目標値を上回ると、空調２１０が冷房動作を行うように制御する。
【００３７】
制御部１２０は、空調２１０を暖房設定で動作させている場合、店舗２００内の温度が第２の目標値を下回ると、空調２１０が暖房動作を行うように制御する。
【００３８】
＜ＤＲ期間における空調制御＞
次に、ＤＲ期間における、電力管理装置１００による店舗２００内の空調２１０の制御について説明する。
【００３９】
記憶部１３０は、上述の第１の目標値及び第２の目標値に加えて、第１の目標値より大きい許容上限値と、第２の目標値より小さい許容下限値とを記憶している。ここで、「許容上限値」は、許容可能な温度範囲（以下、「許容温度範囲」とも称する）の上限の値である。また、「許容下限値」は、許容温度範囲の下限の値である。ここで、許容温度範囲とは、店舗２００内の環境を最低限の環境基準に保てる温度範囲として予め設定された温度範囲である。
【００４０】
ＤＲ期間になると、制御部１２０は、維持しようとする温度範囲を拡張する。具体的には、制御部１２０は、ＤＲ期間になると、維持しようとする温度範囲を目標温度範囲から許容温度範囲に拡張する。したがって、制御部１２０は、空調２１０を冷房設定又は暖房設定で動作させている場合、
許容下限値＜店舗２００内の温度＜許容上限値
である場合は、空調２１０の出力を抑制する。
【００４１】
すなわち、通常時においては、空調２１０を冷房設定で動作させている場合、店舗２００内の温度が第１の目標値から許容上限値までの範囲内にあると、制御部１２０は、空調２１０が冷房動作を行うように制御するが、ＤＲ期間においては、制御部１２０は、消費電力を低減するために、空調２１０の出力を抑制する。
【００４２】
また、通常時においては、空調２１０を暖房設定で動作させている場合、店舗２００内の温度が許容下限値から第２の目標値までの範囲内にあると、制御部１２０は、空調２１０が暖房動作を行うように制御するが、ＤＲ期間においては、制御部１２０は、消費電力を低減するために、空調２１０の出力を抑制する。
【００４３】
このように、ＤＲ期間においては、制御部１２０は、店舗２００内の温度を維持するターゲットである温度範囲を目標温度範囲から許容温度範囲に拡張することにより、最低限の環境基準を保ちつつ、空調２１０の出力を抑制可能な時間を増やすことができる。なお、許容温度範囲は複数の許容温度範囲をもっていてもよく、ＤＲの内容に応じて複数の温度範囲を適宜変更してもよい。また、ＤＲの内容（例えば、期間の長さ、削減電力量など）に応じて、許容温度範囲を変更してもよい。
【００４４】
図２（ａ）に、暖房設定時において、温度範囲を許容温度範囲に拡張したことにより、ＤＲ期間において空調２１０の出力を抑制可能な時間が増える様子を示す。
【００４５】
図２（ａ）において、時間ｔ１から時間ｔ２の期間において、店舗２００内の温度は、第２の目標値を下回っているが、許容下限値を上回っている。したがって、この期間においては、制御部１２０は、空調２１０の出力を抑制するように制御する。
【００４６】
＜空調抑制の制御条件変更＞
例えば、冷房設定時において、店舗２００内の温度が許容上限値を上回っている場合、又は、暖房設定時において、店舗２００内の温度が許容下限値を下回っている場合であっても、店舗２００内の最低限の環境基準を満たしつつ、空調２１０の出力を抑制することが可能な場合がある。そのような場合に空調２１０の出力を抑制することを可能とするように、制御部１２０は、ＤＲ期間においては、空調２１０の出力を抑制する制御条件を変更してもよい。例えば、制御部１２０は、下記の条件１から条件５を満たす場合も、空調２１０の出力を抑制可能と判定するように、空調２１０の制御条件を変更してもよい。
【００４７】
条件１：暖房設定時において、室温が上昇中である。
条件２：冷房設定時において、室温が下降中である。
条件３：暖房又は冷房設定時において、室温が維持されている。
条件４：暖房設定時において、許容下限値と外気温との差が所定値以下である。
条件５：冷房設定時において、許容上限値と外気温との差が所定値以下である。
【００４８】
条件１のような状況においては、空調２１０の出力を抑制しても、しばらくは室温が下降しないと想定される。条件２のような状況においては、空調２１０の出力を抑制しても、しばらくは室温が上昇しないと想定される。条件３のような状況においては、空調２１０の出力を抑制しても、しばらくは室温を維持できると想定される。条件４のような状況においては、空調２１０の出力を抑制して室温が外気温まで下がっても、環境は大きく劣化しないと想定される。条件５のような状況においては、空調２１０の出力を抑制して室温が外気温まで上がっても、環境は大きく劣化しないと想定される。
【００４９】
図２（ｂ）に、暖房設定時において、ＤＲ期間における制御条件変更により、空調２１０の出力を抑制可能な時間が増える様子を示す。
【００５０】
図２（ｂ）において、時間ｔ３から時間ｔ４の期間において、店舗２００内の温度は、許容下限値を下回っている。しかしながら、店舗２００内の温度は、上昇中であるか、又は、値を維持している。したがって、この期間においては、制御部１２０は、空調２１０の出力を抑制するように制御する。
【００５１】
＜通常時の制御への復帰＞
制御部１２０は、ＤＲ期間が終了すると、空調２１０の制御条件を、通常時の制御条件に戻す。すなわち、制御部１２０は、店舗２００内の温度が目標温度範囲内にあるときは空調２１０の出力を抑制し、店舗２００内の温度が目標温度範囲外にあるときは空調２１０の出力を抑制しない。
【００５２】
続いて、図３に示すフローチャートを参照して、本実施形態に係る電力管理装置１００の動作について説明する。
【００５３】
電力管理装置１００の制御部１２０は、電力事業者３００からＤＲ要請を受信しＤＲ期間が開始すると（ステップＳ１０１）、店舗２００内の温度を維持するターゲットである温度範囲を、目標温度範囲から許容温度範囲に拡張する（ステップＳ１０２）。
【００５４】
制御部１２０は、現在の制御条件で空調２１０の出力を抑制可能であるか否かを判定する（ステップＳ１０３）。
【００５５】
現在の制御条件で空調２１０の出力を抑制できないと判定した場合（ステップＳ１０３のＮｏ）、制御部１２０は、空調２１０の制御条件を変更する。例えば、制御部１２０は、上述の条件１〜５のような条件のいずれかの条件を満たせば空調２１０の出力を抑制可能と判定するように制御条件を変更する（ステップＳ１０４）。
【００５６】
現在の制御条件で空調２１０の出力を抑制可能であると判定した場合（ステップＳ１０３のＹｅｓ）、制御部１２０は、ステップＳ１０５に進む。
【００５７】
制御部１２０は、ステップＳ１０３においてＹｅｓと判定した場合は、変更前の制御条件に基づいて、ステップＳ１０３においてＮｏと判定した場合は、ステップＳ１０４にて変更した変更後の制御条件に基づいて、空調２１０を制御する（ステップＳ１０５）。なお、この際、変更後の制御条件であっても空調２１０の出力を抑制することができない場合は、制御部１２０は空調２１０の出力を抑制しない。
【００５８】
制御部１２０は、ＤＲ期間が終了したか否かを判定する（ステップＳ１０６）。
【００５９】
ＤＲ期間が終了していない場合（ステップＳ１０６：Ｎｏ）、制御部１２０は、ステップＳ１０３に戻る。
【００６０】
ＤＲ期間が終了している場合（ステップＳ１０６：Ｙｅｓ）、制御部１２０は、通常時の制御条件に復帰して、空調２１０を制御する（ステップＳ１０７）。
【００６１】
このように、本実施形態によれば、制御部１２０は、ＤＲ要請を受信すると、空調２１０の出力を抑制するか否かを判定する制御条件を、通常時の制御条件から変更する。これにより、店舗２００内の環境を維持しつつ、空調２１０の出力を抑制することができる。
【００６２】
［第２実施形態］
第２実施形態は、第１実施形態において、空調２１０の出力を抑制した場合に、空調２１０から吹き出される風の風向き（以下、単に「空調２１０の風向き」と記載する）を制御することにより、空調２１０の出力の抑制による影響を低減することを目的とするものである。
【００６３】
例えば、空調２１０の出力を抑制するために室外機２１１を停止させた場合、冷房設定時においては、周辺の温度が高いため、室内機２１２の吹き出し口から温風が吹き出される。また、暖房設定時においては、周辺の温度が低いため、室内機２１２の吹き出し口から冷風が吹き出される。この場合、室内機２１２の付近にいる人に、冷房設定時に温風が当たること、又は、暖房設定時に冷風が当たることは快適性を低下させるため好ましくない。本実施形態は、例えば、このような場合に、温風又は冷風が、室内機２１２の付近にいる人に直接当たらないようにすることなどを目的とするものである。
【００６４】
電力管理システム２は、図４に示すように、電力管理装置１００と、店舗（施設）２５０と、室外温度センサ２２０と、電力事業者３００とを備える。電力管理装置１００、店舗２５０及び電力事業者３００は、ネットワーク４００を介して相互に接続されている。なお、図４においては、１つの店舗２５０のみを示しているが、複数の店舗２５０がネットワーク４００に接続されていてもよい。
【００６５】
第２実施形態においては、第１実施形態と相違する部分について主に説明し、第１実施形態と共通又は類似する内容については、適宜、説明を省略する。
【００６６】
第２実施形態は、店舗２５０が、風向板２０８と、風向制御装置２０９とをさらに備える点で、第１実施形態に係る店舗２００と相違する。
【００６７】
風向板２０８は、室内機２１２の吹き出し口付近に設置される板である。風向板２０８は、風向制御装置２０９からの制御によって角度を変えることが可能であり、空調２１０の風向きを変えることができる。
【００６８】
風向制御装置２０９は、電力管理装置１００の制御部１２０からの指令に応じて、空調２１０の風向きを制御する。風向制御装置２０９は、室内機２１２に備わっている風向制御機構を制御して、空調２１０の風向きを制御してもよいし、風向板２０８の角度を制御して、空調２１０の風向きを制御してもよい。以後、風向制御装置２０９が、風向板２０８の角度を制御して、空調２１０の風向きを制御する場合を例に挙げて説明する。
【００６９】
図５（ａ）は、風向板２０８を、地面に対して比較的垂直に近い角度に傾け、空調２１０の風向きを下向きにしている様子を示す図である。制御部１２０は、例えば、冷房設定で通常動作をしていて、室内機２１２の下方付近にいる人に冷風を当てたい場合に、空調２１０の風向きが下向きになるように風向板２０８の角度を制御する。
【００７０】
図５（ｂ）は、風向板２０８を、比較的水平に近い角度に傾け、空調２１０の風向きを横向きにしている様子を示す図である。制御部１２０は、例えば、例えば、冷房設定時において、空調２１０の出力を抑制するために室外機２１１を停止させた場合、室内機２１２の下方付近にいる人に温風が当たることを避けるため、空調２１０の風向きが横向きになるように風向板２０８の角度を制御する。
【００７１】
風向板２０８は、室内機２１２の４つの辺に沿って、１つの室内機２１２あたり４つの風向板２０８まで設置可能である。しかしながら、風向板２０８は、必ずしも全ての室内機２１２に設置する必要はなく、また、１つの室内機２１２に対して４つ未満の個数を設置してもよい。風向板２０８は、空調２１０の出力の抑制による環境劣化を低減するものであるから、人が集中するエリア付近に設置された室内機２１２には、設けることが好ましい。
【００７２】
図６は、店舗２５０が食品スーパーである場合に、店舗２５０を上から見た平面図である。
【００７３】
店舗２５０内において、人が集中するエリアは、特売コーナー５１０の周辺、及び、レジ５２０・サッカー台５３０の周辺などである。ここで、サッカー台５３０とは、購入した商品をレジ袋に詰めるためにレジ５２０付近に設置された台である。
【００７４】
風向板２０８は、人が集中するエリア付近の室内機２１２の人が集中する側の吹き出し口に設置されている。
【００７５】
図６に示す例においては、人が集中する特売コーナー５１０付近に設置された室内機２１２−１において、特売コーナー５１０側の吹き出し口付近に風向板２０８が設置されている。また、人が集中するレジ５２０・サッカー台５３０付近に設置された室内機２１２−２において、レジ５２０・サッカー台５３０側の吹き出し口付近に風向板２０８が設置されている。また、それほど人が集中しない売り場５００中心付近に設置された室内機２１２−３には、風向板２０８は設置されていない。
【００７６】
図６に一例を示すように、人が集中するエリアに向けた吹き出し口など、風向板２０８の効果が高い場所にのみ選択的に風向板２０８を設置することにより、風向板２０８による環境劣化の低減の効果を得つつ、風向板２０８の設置コストを低減することができる。
【００７７】
図７（ａ）は、空調２１０が冷房動作をしている場合における風向板２０８の制御の例である。制御部１２０は、人６００がいるエリアに冷風を向けて積極的に冷やすように風向板２０８−１の角度を制御する。また、制御部１２０は、冷ケース２０２があるエリアに冷風を向けて積極的に冷やすように風向板２０８−２を制御する。
【００７８】
図７（ｂ）は、空調２１０が暖房動作をしている場合における風向板２０８の制御の例である。制御部１２０は、人６００がいるエリアに温風を向けて積極的に暖めるように風向板２０８−１の角度を制御する。また、制御部１２０は、冷ケース２０２がないエリアに温風を向けて、冷ケース２０２があるエリアを暖めないように風向板２０８−２を制御する。
【００７９】
図８（ａ）は、空調２１０の出力が冷房設定において抑制されている場合、すなわち、室内機２１２が温風を吹き出している場合における風向板２０８の制御の例である。制御部１２０は、人６００がいないエリアに温風を向けて、人６００に温風が当たらないように風向板２０８−１の角度を制御する。また、制御部１２０は、冷ケース２０２がないエリアに温風を向けて、冷ケース２０２があるエリアを暖めないように風向板２０８−２を制御する。
【００８０】
図８（ｂ）は、空調２１０の出力が暖房設定において抑制されている場合、すなわち、室内機２１２が冷風を吹き出している場合における風向板２０８の制御の例である。制御部１２０は、人６００がいないエリアに冷風を向けて、人６００に冷風が当たらないように風向板２０８−１の角度を制御する。また、制御部１２０は、冷ケース２０２があるエリアに冷風を向けて積極的に冷やすように風向板２０８−２を制御する。
【００８１】
＜風向制御のタイミング＞
制御部１２０が、ＤＲ期間において空調２１０の出力を抑制する場合、例えば、冷房設定において室内機２１２から温風が吹き出してくるのは、制御部１２０が室外機２１１を停止させる制御をしてから、ある程度の時間が経ってからである。また、例えば、暖房設定において室内機２１２から冷風が吹き出してくるのも、制御部１２０が室外機２１１を停止させる制御をしてから、ある程度の時間が経ってからである。
【００８２】
そこで、制御部１２０は、図７に示すような風向板２０８の角度の制御から、図８に示すような風向板２０８の角度の制御に移行するタイミングを、室外機２１１を停止させる制御をしてから所定の時間が経過した後にしてもよい。または、室内機２１２の吹き出し口付近に温度センサを設けておき、制御部１２０は、該温度センサから取得した温度に基づいて、風向板２０８の角度の移行タイミングを決定してもよい。例えば、制御部１２０は、冷房設定時においては、該温度センサから取得した温度が所定の温度を上回ったら風向板２０８の角度を制御し、暖房設定時においては、該温度センサから取得した温度が所定の温度を下回ったら風向板２０８の角度を制御するようにしてもよい。
【００８３】
また、空調２１０が抑制から復帰する場合において、室内機２１２から吹き出す風が、温風から冷風、又は、冷風から温風に変わるのも、室外機２１１を動作させてからある程度の時間が経ってからである。
【００８４】
そこで、制御部１２０は、図８に示すような風向板２０８の角度の制御から、図７に示すような風向板２０８の角度の制御に移行するタイミングを、室外機２１１を起動させる制御をしてから所定の時間が経過した後にしてもよい。または、室内機２１２の吹き出し口付近に温度センサを設けておき、制御部１２０は、該温度センサから取得した温度に基づいて、風向板２０８の角度の移行タイミングを決定してもよい。例えば、制御部１２０は、冷房設定時においては、該温度センサから取得した温度が所定の温度を下回ったら風向板２０８の角度を制御し、暖房設定時においては、該温度センサから取得した温度が所定の温度を上回ったら風向板２０８の角度を制御するようにしてもよい。
【００８５】
また、冷房設定において、空調２１０の出力の抑制から復帰する場合、人に急激に冷風を当てることがないように、制御部１２０は、人がいるエリアに風向を向ける風向板２０８の角度は、徐々に元の角度に戻してもよい。
【００８６】
続いて、図９に示すフローチャートを参照して、本実施形態に係る電力管理装置１００が、店舗２５０内の風向板２０８を制御する動作を説明する。なお、本実施形態においても、第１実施形態において図３で説明した制御条件変更のフローは実行されており、風向板２０８を制御する動作は、制御条件変更のフローと並列に実行されているものとする。
【００８７】
電力管理装置１００の制御部１２０は、電力事業者３００からＤＲ要請を受信しＤＲ期間が開始すると（ステップＳ２０１）、空調２１０の出力を抑制中であるか否かを判定する（ステップＳ２０２）。
【００８８】
空調２１０の出力を抑制中であると判定した場合（ステップＳ２０２：Ｙｅｓ）、制御部１２０は、風向板２０８の角度を、空調２１０の出力の抑制中において適した角度（例えば、図８に示した角度）に制御する（ステップＳ２０３）。
【００８９】
制御部１２０は、ＤＲ期間が終了したか否かを判定し（ステップＳ２０４）、ＤＲ期間が終了している場合（ステップＳ２０４：Ｙｅｓ）、制御部１２０は、風向板２０８の角度を、通常時の角度（例えば、図７に示した角度）に戻す（ステップＳ２０５）。
【００９０】
このように、本実施形態によれば、制御部１２０は、空調２１０の出力を抑制する際、空調２１０の風向きも同時に制御する。これにより、空調２１０の出力の抑制による環境劣化を低減することができる。
【００９１】
＜部分的な空調の出力の抑制＞
ＤＲ期間において空調２１０の出力を抑制する場合、店舗２５０内の全ての空調２１０の出力を抑制するのではなく、空調２１０の出力を抑制するエリアと、空調２１０の出力を抑制しないエリアとを分けてもよい。この場合、制御部１２０は、空調２１０の出力を抑制していないエリアの空調２１０の風向きが横向きになるように、風向板２０８の角度を制御してもよい。
【００９２】
これにより、冷房設定時には、空調２１０の出力を抑制していないエリアの空調２１０による冷風を、空調２１０の出力を抑制しているエリアに送り、店舗２５０内の温度ムラを低減することができる。また、暖房設定時には、空調２１０の出力を抑制していないエリアの空調２１０による温風を、空調２１０の出力を抑制しているエリアに送り、店舗２５０内の温度ムラを低減することができる。
【００９３】
本発明の実施形態を諸図面及び実施例に基づき説明してきたが、当業者であれば本開示に基づき種々の変形及び修正を行うことが容易であることに注意されたい。従って、これらの変形及び修正は本発明の範囲に含まれることに留意されたい。例えば、各構成部、各ステップなどに含まれる機能などは論理的に矛盾しないように再配置可能であり、複数の構成部又はステップなどを１つに組み合わせたり、或いは分割したりすることが可能である。また、本発明について装置を中心に説明してきたが、本発明は装置の各構成部が実行するステップを含む方法、装置が備えるプロセッサにより実行される方法、プログラム、又はプログラムを記録した記憶媒体としても実現し得るものであり、本発明の範囲にはこれらも包含されるものと理解されたい。
【００９４】
本実施形態では、電力管理装置１００にセンサからのデータを送る実施形態を示したが、電力管理装置１００の機能を電力事業者３００が有していてもよい。例えば、室外温度センサ２２０、温度センサ２０１、電力センサ２０４及び電力センサ２０５からのデータをゲートウェイ２０７及びネットワーク４００を介して電力事業者３００（又は電力事業者３００が管理するサーバ）に直接送信してもよい。
【００９５】
本開示内容の多くの側面は、プログラム命令を実行可能なコンピュータシステムその他のハードウェアによって実行される、一連の動作として示される。コンピュータシステムその他のハードウェアには、例えば、汎用コンピュータ、ＰＣ（Personal Computer）、専用コンピュータ、ワークステーション、ＰＣＳ(Personal Communications System、パーソナル移動通信システム)、電子ノートパッド、ラップトップコンピュータ、又はその他のプログラム可能なデータ処理装置が含まれる。各実施形態では、種々の動作は、プログラム命令(ソフトウェア)で実装された専用回路(例えば、特定機能を実行するために相互接続された個別の論理ゲート)又は、１つ以上のプロセッサによって実行される論理ブロック若しくはプログラムモジュール等によって実行されることに留意されたい。論理ブロック又はプログラムモジュール等を実行する１つ以上のプロセッサには、例えば、１つ以上のマイクロプロセッサ、ＣＰＵ（Central Processing Unit）、ＡＳＩＣ(Application Specific Integrated Circuit)、ＤＳＰ(Digital Signal Processor)、ＰＬＤ(Programmable Logic Device)、ＦＰＧＡ(Field Programmable Gate Array)、コントローラ、マイクロコントローラ、電子機器、ここに記載する機能を実行可能に設計されたその他の装置及び／又はこれらいずれかの組合せが含まれる。ここに示す実施形態は、例えば、ハードウェア、ソフトウェア、ファームウェア、ミドルウェア、マイクロコード又はこれらいずれかの組合せによって実装される。
【００９６】
ここで用いられる機械読取り可能な非一時的記憶媒体は、更に、ソリッドステートメモリ、磁気ディスク及び光学ディスクの範疇で構成されるコンピュータ読取り可能な有形のキャリア（媒体）として構成することができる。かかる媒体には、ここに開示する技術をプロセッサに実行させるためのプログラムモジュールなどのコンピュータ命令の適宜なセット及び、データ構造が格納される。コンピュータ読取り可能な媒体には、１つ以上の配線を備えた電気的接続、磁気ディスク記憶媒体、その他の磁気及び光学記憶装置(例えば、ＣＤ(Compact Disk)、ＤＶＤ(Digital Versatile Disc)、及びブルーレイディスク、可搬型コンピュータディスク、ＲＡＭ(Random Access Memory)、ＲＯＭ(Read-Only Memory)、ＥＰＲＯＭ（Erasable Programmable Read-Only Memory）、ＥＥＰＲＯＭ（Electrically Erasable Programmable Read-Only Memory）若しくはフラッシュメモリ等の書換え可能でプログラム可能なＲＯＭ若しくは情報を格納可能な他の有形の記憶媒体又はこれらいずれかの組合せが含まれる。メモリは、プロセッサ／プロセッシングユニットの内部及び／又は外部に設けることができる。ここで用いられるように、「メモリ」という語は、あらゆる種類の長期記憶用、短期記憶用、揮発性、不揮発性その他のメモリを意味し、特定の種類若しくはメモリの数又は記憶が格納される媒体の種類は限定されない。
【符号の説明】
【００９７】
１、２  電力管理システム
１００  電力管理装置
１１０  通信部
１２０  制御部
１３０  記憶部
２００  店舗（施設）
２０１  温度センサ
２０２  冷ケース
２０３  照明
２０４  電力センサ
２０５  電力センサ
２０６  出力制御装置
２０７  ゲートウェイ
２０８  風向板
２０９  風向制御装置
２１０  空調
２１１  室外機
２１２  室内機
２２０  室外温度センサ
２５０  店舗（施設）
３００  電力事業者
４００  ネットワーク
【図１】
0006626962.tif 000002
【図２】
0006626962.tif 000003
【図３】
0006626962.tif 000004
【図４】
0006626962.tif 000005
【図５】
0006626962.tif 000006
【図６】
0006626962.tif 000007
【図７】
0006626962.tif 000008
【図８】
0006626962.tif 000009
【図９】
0006626962.tif 000010